(57)【要約】【課題】前方位置が決まった仕切り体本体を有する商品仕切り体において、陳列棚面の左右のいずれに使用しても、仕切り体本体と棚面の端にデッドスペースが生じることがない設置安定性に優れる商品仕切り体を提供すること。【解決手段】位置決め用の係合片１１を前端下部に有する仕切り体本体１と、仕切り体本体１と着脱自在に係合して仕切り体本体１の起立姿勢を保持する仕切り体ベース５とを有し、仕切り体ベース５は水平部材５１と水平部材５１の一の側端から上方へ起立する係合起立部５２を有し、係合起立部５２で仕切り体本体１を支持する商品仕切り体１０。【選択図】図１
0003138253.tif 000002
【実用新案登録請求の範囲】
【請求項１】
位置決め用の係合片を前端下部に有する仕切り体本体と、
該仕切り体本体と着脱自在に係合して該仕切り体本体の起立姿勢を保持する仕切り体ベースとを有し、該仕切り体ベースは水平部材と該水平部材の一の側端から上方へ起立する係合起立部を有し、係合起立部で該仕切り体本体を支持することを特徴とする商品仕切り体。
【請求項２】
該仕切り体本体の下端部に鍔部の厚みがｄ１の逆Ｔ字形状断面の第１係合部を該仕切り体本体の長手方向全長に亘って形成し、該第１係合部の下面で且つ長手方向に２つの長溝を所定の間隔ｄ２離間して形成し該２つの長溝間の平坦部を長さｄ２の第２係合部とし、更に該仕切り体ベースの長手方向に間隔ｄ２離間して２つの突起を形成し、該突起を第３係合部とし、該第２係合部と該第３係合部を係合させることを特徴とする請求項１記載の商品仕切り体。
【請求項３】
前記係合起立部は、該第３係合部の長手方向の両側にあって、それぞれ対向する一対の壁部として形成されたものであり、該壁部の内側面で、且つ底から上方へｄ１の位置に長手方向に延出する突起状の第４係合部を形成し、第１係合部と第４係合部を係合させたことを特徴とする請求項２記載の商品仕切り体。
【請求項４】
該第１係合部の前端と該２つの長溝の中の前方の長溝の前端との距離及び該第１係合部の後端と該２つの長溝の中の後方の長溝の後端との距離が、共にｄ２／２であることを特徴とする請求項２又は３記載の商品仕切り体。
【請求項５】
該仕切り体本体は矩形状枠体であり且つ縦桟部材と横桟部材で形成される格子形状であって、枠体の前方桟部材、後方桟部材及び上方桟部材の厚みが５〜３０ｍｍであることを特徴とする請求項１〜４のいずれか１項に記載の商品仕切り体。
【請求項６】
該矩形状枠体の前方桟部材又は上方桟部材にＰＯＰ表示具取り付け用の係合孔を形成したことを特徴とする請求項１〜５のいずれか１項に記載の商品仕切り体。
【請求項７】
位置決め用の係合片の無い仕切り体本体を連結用仕切り体本体として使用し、該仕切り体本体の後方に該連結用仕切り体本体を配置し、該仕切り体本体と該連結用仕切り体本体を該仕切り体ベースで連結したことを特徴とする請求項１〜６のいずれか１項に記載の商品仕切り体。
【請求項８】
該連結用仕切り体本体の下端部に鍔部の厚みがｄ１の逆Ｔ字形状断面の第１係合部を該連結用仕切り体本体の長手方向全長に亘って形成し、該第１係合部の下面で且つ長手方向に２つの長溝を所定の間隔ｄ２離間して形成し該２つの長溝間の平坦部を長さｄ２の第２係合部とし、該第１係合部の前端と該２つの長溝の中の前方の長溝の前端との距離及び該第１係合部の後端と該２つの長溝の中の後方の長溝の後端との距離が、共にｄ２／２としたことを特徴とする請求項７記載の商品仕切り体。
【考案の詳細な説明】
【技術分野】
【０００１】
本考案は、スーパーなどの惣菜、パック用寿司、果物などの陳列棚面での使用に好適な商品仕切り体に関するものである。
【背景技術】
【０００２】
従来、スーパーなどの惣菜、パック用寿司、果物の陳列棚は、陳列面積を確保するため、あるいは異なる種類の果物を区別して陳列するため仕切り体には着脱自在のものや可動式のものが多く使用されている。特に棚面の前方にある長手方向に延びる板状の係止片に係合する左右方向の位置決めが容易な位置決め用の係合片を有した仕切り体が多く使用されている。このような仕切り体を使用すれば、陳列面を左右方向の所望の位置で自在に仕切ることができる。
【０００３】
また、果物の陳列棚は陳列面積が大きいため、商品仕切り体には仕切り体本体を支持する仕切り体ベースが使用されることが多い。従来の仕切り体ベースは安定した支持を目的に仕切り体ベースの中央で仕切り体本体を支持するか、又は仕切り体本体と仕切り体ベースが一体物でＬ字断面形状をしたものが使用されている。また、仕切り体本体は陳列面積を広く採るために通常、薄板状で形成されている。また、仕切り体本体は長手方向に長いものは保管が面倒であり、他の転用ができないため、仕切り体本体の長いものは使用されておらず、仕切り体本体を奥行き方向に直列に並べて使用している。
【考案の開示】
【考案が解決しようとする課題】
【０００４】
しかしながら、仕切り体ベースの中央で仕切り体本体を支持する商品仕切り体は、陳列棚面の左右の端で使用すると、仕切り体本体の棚面の端にデッドスペースが生じるため、有効な陳列面積が減少してしまう。また、Ｌ字断面形状であって位置決め用の係合片を有した仕切り体では、前方位置が決まってしまうため、棚面左用と棚面右用の２通りの商品仕切り体を設ける必要があった。一方、仕切り体本体が薄板状のものは商品情報を表示したカテゴリーＰＯＰ（point of purpose）などの設置が困難なため、陳列の演出に欠けるものであった。また、仕切り体本体が薄板状のものは陳列面が貧弱となり好適なものではなかった。また、長い距離を仕切る場合、仕切り体本体を連結する必要があるが、別途、連結部材を必要とする等、薄板状の仕切り体本体を連結する簡易な方法がないのが現状であった。
【０００５】
従って、本考案の目的は、前方位置が決まった仕切り体本体を有する商品仕切り体において、陳列棚面の左右のいずれに使用しても、仕切り体本体と棚面の端にデッドスペースが生じることがなく、カテゴリーＰＯＰの設置が容易で、陳列面を豪華に見せることができ、長手方向の連結が容易でしかも設置安定性に優れる商品仕切り体を提供することにある。
【課題を解決するための手段】
【０００６】
すなわち、本考案は上記従来の課題を解決するものであって、位置決め用の係合片を前端下部に有する仕切り体本体と、該仕切り体本体と着脱自在に係合して該仕切り体本体の起立姿勢を保持する仕切り体ベースとを有し、該仕切り体ベースは水平部材と該水平部材の一の側端から上方へ起立する係合起立部を有し、係合起立部で該仕切り体本体を支持する商品仕切り体を提供するものである。
【考案の効果】
【０００７】
本考案は、前方位置が決まった仕切り体本体を有する商品仕切り体において、仕切りベースの水平部材が仕切り体本体に対して内側又は外側のいずれにくるようにも設置できるため、陳列棚面の左右のいずれに使用しても仕切り体本体と棚面の端にデッドスペースが生じることがない。また、仕切り体本体の枠部を厚材とすれば、カテゴリーＰＯＰの設置が容易で、陳列面を豪華に見せることができる。また、仕切りベースが連結部材も兼ねるため、長手方向の連結が容易でしかも設置安定性に優れる。
【考案を実施するための最良の形態】
【０００８】
次ぎに、本考案の第１の実施の形態における商品仕切り体を図１〜図５を参照して説明する。図１は本例の商品仕切り体の斜視図、図２は図１の商品仕切り体の分解斜視図、図３は図１の仕切り体本体の厚みの中心に沿って切断した縦断面図、図４は図１の商品仕切り体の側面図、図５は図４のＢ−Ｂ線に沿って見た断面図である。なお、本明細書中、「左」、「右」、「前」、「後」は顧客側から見た方向または位置を言う。
【０００９】
商品仕切り体１０は、位置決め用の係合片１１を前端下部に有する仕切り体本体１と、仕切り体本体１と着脱自在に係合して仕切り体本体１の起立姿勢を保持する仕切り体ベース５とを有し、仕切り体ベース５は水平部材５１と水平部材５１の一の側端、本例では左端から上方へ起立する係合起立部５２を有し、係合起立部５２で仕切り体本体１を支持する。
【００１０】
仕切り体本体１は矩形状枠体であり且つ縦桟部材１６と横桟部材１５で形成される格子形状であって、枠体の前方桟部材１２、上方桟部材１３及び後方桟部材１４の厚みが５〜３０ｍｍ、好適には７〜１５ｍｍである。矩形状枠体の格子形状とすることで、惣菜、パック用寿司、果物類の陳列の演出を高めることができ、また、枠体の上記桟部材の厚みを従来の仕切り板のものと比較すると厚いため、設置安定性とカテゴリーＰＯＰの取り付けを可能とすることができる。本考案の仕切り体本体の形状は上記矩形状枠体に限定されず、下端部が後述する特定の形状であるなら、如何なる形状であってもよい。
【００１１】
商品仕切り体１０の上方桟部材１３には、前方部分と後方部分の２ヶ所に、カテゴリーＰＯＰの取り付け部が挿入されるくり抜き状の係合孔４が形成されている。くり抜き孔４に陳列商品の情報を表示したカテゴリーＰＯＰを設置することにより、商品陳列の演出効果を一層高めることができる。従来の商品仕切り板は薄板状のものであり、当該部分へのカテゴリーＰＯＰの取り付けは強度がないなどの理由で設置できなかった。また、カテゴリーＰＯＰを取り付けたとしても、クリップ留めであり、大きなＰＯＰは設置できず、また設置安定性に劣るものであった。
【００１２】
位置決め用の係合片１１は、水平部材１１と、水平部材１１の前端から下方へ延びる垂直部材１１２からなる鉤状部材であり、水平部材１１の裏面には後方へ突出する突部１１３を形成して、設置台（基台）前方で且つ左右方向に延びる起立姿勢の板状の係止片への係合強度を高めるようにしている。なお、水平部材１１は上記形態に限定されず、設置台の係止片の形状に対応する、例えばＵ字溝を有する係合片であってもよい。
【００１３】
商品仕切り体１０において、仕切り体本体１の下端部に鍔部３１の厚みがｄ１の逆Ｔ字形状断面の第１係合部３を仕切り体本体１の長手方向全長に亘って形成している。また、第１係合部３の下面で且つ長手方向に２つの長溝１６ａ、１６ｂを間隔ｄ２離間して形成し該２つの長溝１６ａ、１６ｂ間の平坦部を長さｄ２の第２係合部１７としている。また、仕切り体ベース５の長手方向に間隔ｄ２離間して２つの突起６、６を形成し、突起６、６を第３係合部としている。突起６の形状は前方突起が前方側の傾斜角度を後方側の傾斜角度より緩和傾斜とし、後方突起が後方側の傾斜角度を前方側の傾斜角度より緩和傾斜とすれば、嵌合がし易くなり且つ嵌合強度を適度の強度に保持することができる。
【００１４】
また、商品仕切り体１０において、係合起立部５２は、第３係合部６、６の長手方向の両側にあって、前方にある対向する一対の壁部５２ａ、５２ａ及び後方にある対向する一対の壁部５２ｂ、５２ｂとして形成されたものであり、壁部の内側面で、且つ底面から上方へｄ１の位置に長手方向に延出する突起状の前方にある第４係合部５３ａ、５３ａ、後方にある第４係合部５３ｂ、５３ｂを形成したものである。すなわち、第４係合部は一対の壁部５２間で形成される溝部の底面と該突起状とで形成される高さｄ１の溝部である。
【００１５】
商品仕切り体１０において、第１係合部３の前端と２つの長溝の中の前方の長溝１６ａの前端との距離及び第１係合部３の後端と２つの長溝の中の後方の長溝１６ｂの後端との距離が、共にｄ２／２である。これにより、後述する位置決め用の係合片１１を省略した以外は同形状の連結用仕切り体本体１ａを連結した場合、当該連結部分に平坦部の長さｄ２の第２係合部１７を形成することができる。
【００１６】
商品仕切り体１０によれば、図１に示すように、仕切りベース５の水平部材５１が仕切り体本体１に対して右側となるようにして、棚面の左側端に設置すれば、棚面の左端と仕切り体本体間にデッドスペースが生じることがない。また、仕切り体本体１と仕切りベース５の組み付けを解除し、仕切りベース５の水平部材５１が仕切り体本体１に対して左側となるようにして、棚面の右側端に設置すれば、棚面の右端と仕切り体本体間にデッドスペースが生じることがない。また、仕切り体本体の枠部の上方桟部材の係合孔４にカテゴリーＰＯＰが設置できるため、陳列面を豪華に見せることができる。
【００１７】
次ぎに、第２の実施の形態における商品仕切り体を図６を参照して説明する。図６は本例の商品仕切り体の斜視図である。図６の商品仕切り体において、図１〜図５の商品仕切り体と同一構成要素には同一符号を付して、その説明を省略し異なる点について主に説明する。すなわち、図６の商品仕切り体１０ａにおいて、図１〜図５の商品仕切り体１０と異なる点は、枠体の前方桟部材１２にカテゴリーＰＯＰ８が係合する係合孔７を３つ設け、最上部の係合孔７にカテゴリーＰＯＰ８を取り付けた点にある。
【００１８】
カテゴリーＰＯＰ８は、商品情報が記載されたカード状ＰＯＰ本体８２とカード状ＰＯＰ本体８２を支持する支持部材８１からなり、支持部材８１はカード状ＰＯＰ本体８２を支持する支持部８１２と係合孔７に係合する形状を有する係合部８１１からなる。係合部８１１と支持部８１２とは首振り自在に結合して表示方向を自在に変化させるものが好適である。
【００１９】
商品仕切り体１０ａによれば、商品仕切り体１０と同様の効果を奏する他、仕切り体本体１の枠部の前方桟部材１２の係合孔７にカテゴリーＰＯＰが設置できるため、陳列面を更に豪華に見せることができる。
【００２０】
次ぎに、第３の実施の形態における商品仕切り体を図７を参照して説明する。図７は本例の商品仕切り体を裏側から見上げた斜視図である。図７の商品仕切り体において、図６の商品仕切り体と同一構成要素には同一符号を付して、その説明を省略し異なる点について主に説明する。すなわち、図７の商品仕切り体１０ｂにおいて、図６の商品仕切り体１０ａと異なる点は、仕切りベース５の水平部材５１の裏面にマグネット９を貼付した点にある。
【００２１】
商品仕切り体１０ｂによれば、商品仕切り体１０ａと同様の効果を奏する他、鉄製の棚面への設置が安定する。
【００２２】
次ぎに、第４の実施の形態における商品仕切り体を図８及び図９を参照して説明する。図８は本例の商品仕切り体の斜視図、図９は図８の商品仕切り体で使用する連結用仕切り体本体の斜視図である。図８及び図９の商品仕切り体において、図１〜図５の商品仕切り体と同一構成要素には同一符号を付して、その説明を省略し異なる点について主に説明する。すなわち、図８及び図９の商品仕切り体１０ｃにおいて、図６の商品仕切り体１０ａと異なる点は、位置決め用の係合片の無い仕切り体本体を連結用仕切り体本体１ａとして更に使用し、仕切り体本体１の後方に連結用仕切り体本体１ａを配置し、連結用仕切り体本体１ａを仕切りベース５ｃで支持すると共に、仕切り体本体１と連結用仕切り体本体１ａを仕切り体ベース５ｂで連結した点にある。
【００２３】
連結用仕切り体本体１ａは、位置決め用の係合片を省略した以外は、仕切り体本体１と同様のものである。すなわち、連結用仕切り体本体１ａは連結用仕切り体本体１ａの下端部に鍔部の厚みがｄ１の逆Ｔ字形状断面の第１係合部３を連結用仕切り体本体１ａの長手方向全長に亘って形成し、第１係合部３の下面で且つ長手方向に２つの長溝を所定の間隔ｄ２離間して形成し該２つの長溝間の平坦部を長さｄ２の第２係合部とし、該第１係合部の前端と該２つの長溝の中の前方の長溝の前端との距離及び該第１係合部の後端と該２つの長溝の中の後方の長溝の後端との距離が、共にｄ２／２である。また、枠体の前方桟部材、上方桟部材及び後方桟部材の厚みも仕切り体本体１の厚みと同様である。
【００２４】
商品仕切り体１０ｃにおいて、仕切り体本体１と連結用仕切り体本体１ａを直列に並べ、仕切り体本体１の後方桟部材１４と連結用仕切り体本体１ａの前方桟部材１２を当接させたため、仕切り体本体１と連結用仕切り体本体１ａの接続部分の下端面には、平坦部長さｄ２の第２係合部が形成される。このため、仕切り体ベース５ａと同形状の仕切り体ベース５ｂを当該第２係合部に係合させることができ、接続部分の支持機能と仕切り体本体１と連結用仕切り体本体１ａの連結機能の両機能を付与できる。商品仕切り体１０ｃによれば、商品仕切り体１０ａと同様の効果を奏する他、奥行きの長い陳列面の左側設置仕切り部材として有効である。商品仕切り体１０ｃにおいて、仕切り体ベース５ａ〜５ｃを右側用、すなわち、仕切り体ベース５ａ〜５ｃの水平部材５１ａ〜５１ｃが仕切り体本体１の左側となるように設置すれば、奥行きの長い陳列面の右側設置仕切り部材として使用できる。
【００２５】
次ぎに、第５の実施の形態における商品仕切り体を図１０を参照して説明する。図１０は本例の商品仕切り体の斜視図である。図１０の商品仕切り体において、図８の商品仕切り体と同一構成要素には同一符号を付して、その説明を省略し異なる点について主に説明する。すなわち、図１０の商品仕切り体１０ｄにおいて、図８の商品仕切り体１０ｃと異なる点は、真ん中の仕切りベース５ｂを左右反対とした点にある。すなわち、仕切りベース５ｂは水平部材５１が仕切り体本体１の左側にくるように設置したものである。
【００２６】
商品仕切り体１０ｄによれば、商品仕切り体１０ｃと同様の効果を奏する他、陳列面の中央部分での使用に好適である。
【００２７】
本考案の商品仕切り体において、仕切り体本体１の下端に形成される長溝は上記２つに限定されず、例えば３つであってもよい。この場合、前方の長溝と中央の長溝の間の平坦部を長さｄ２の第２係合部とし、中央の長溝と後方の長溝の間の平坦部を長さｄ２の第２係合部とする。この形態であれば、仕切り体本体の支持箇所が増える。
【００２８】
連結用仕切り体本体１ａは１枚に限定されず、２個直列に連結してもよい。また、連結用仕切り体本体１ａの形状は上記形状に限定されず、奥行き方向に更に長いもの、奥行き方向に更に短いものであってもよい。
【００２９】
本考案の商品仕切り体において、カテゴリーＰＯＰの設置位置は仕切り体本体１の前方桟部材１２の係合孔７及び上方桟部材１３の係合孔４の両方であってもよい。
【００３０】
本考案の商品仕切り体は、陳列棚面に１個又は２個以上設置することができる。すなわち、陳列棚面に１個の場合とは、陳列棚面に左側用又は右側用のいずれかを設置する場合である。この使用形態は右側や左側を区画する必要がない場合に好適である。また、陳列棚面に２個設置する形態としては、陳列棚面に左側用及び右側用で設置する形態、陳列棚面に左側用設置と中央設置の２つ使用の形態、陳列棚面に右側用設置と中央設置の２つ使用の形態など挙げられる。また、陳列棚面に２個以上設置する形態としては、陳列棚面に左側用、右側用及び両端部間に１個又は２個以上で設置する形態が挙げられる。
【図面の簡単な説明】
【００３１】
【図１】第１の実施の形態例の商品仕切り体の斜視図である。
【図２】図１の商品仕切り体の分解斜視図である。
【図３】図１の仕切り体本体の厚みの中心に沿って切断した縦断面図である。
【図４】図１の商品仕切り体の側面図である。
【図５】図４のＢ−Ｂ線に沿って見た断面図である。
【図６】第２の実施の形態例の商品仕切り体の斜視図である。
【図７】第３の実施の形態例の商品仕切り体を裏側から見上げた斜視図である。
【図８】第４の実施の形態例の商品仕切り体の斜視図である。
【図９】図８の商品仕切り体で使用する連結用仕切り体本体の斜視図である。
【図１０】第５の実施の形態例の商品仕切り体の斜視図である。
【符号の説明】
【００３２】
１    仕切り体本体
３    第１係合部（逆Ｔ字形状断面）
４    係合孔
５    仕切り体ベース
６    第３係合部（突起）
７    第２係合部
１０  商品仕切り体
１１  位置決め用の係合片
１２  枠体の前方桟部材
１３  上方桟部材
１４  後方桟部材
１５  横桟部材
１６  縦桟部材
１６ａ、１６ｂ  長溝
１７  第２係合部
５１  水平部材
５２  係合起立部（一対の壁部）
５３ａ、５３ａ、５３ｂ、５３ｂ    第４係合部
【図１】
0003138253.tif 000003
【図２】
0003138253.tif 000004
【図３】
0003138253.tif 000005
【図４】
0003138253.tif 000006
【図５】
0003138253.tif 000007
【図６】
0003138253.tif 000008
【図７】
0003138253.tif 000009
【図８】
0003138253.tif 000010
【図９】
0003138253.tif 000011
【図１０】
0003138253.tif 000012